(57)【要約】【課題】高湿度な空間における、高性能の調湿材料である多孔質粒状成形体の調湿性能を有効に発揮させることができ、簡便に繰り返して該調湿作用を回復させることができる、多孔質粒状成形体用容器を提供する。【解決手段】多孔質粒状成形体用容器は、箱状の容器であって、少なくとも１面に複数の開口が設けられ、該容器の内部に多孔質粒状成形体を収容し、必要に応じて該多孔質粒状成形体を個別に収容するための隔壁を該容器内に設けている。【選択図】  図１
0003151139.tif 000002
【実用新案登録請求の範囲】
【請求項１】
箱状の容器であって、少なくとも１面に複数の開口が設けられ、該容器の内部に多孔質粒状成形体を収容することを特徴とする、多孔質粒状成形体用容器。
【請求項２】
請求項１の多孔質粒状成形体用容器において、該多孔質粒状成形体を個別に収容するための隔壁を該容器内に設けていることを特徴とする、多孔質粒状成形体用容器。
【請求項３】
請求項１または２記載の多孔質粒状成形体用容器において、該多孔質粒状成形体を保持する保持部に水受けを形成することを特徴とする、多孔質粒状成形体用容器。
【請求項４】
請求項１〜３いずれかの項記載の多孔質粒状成形体用容器において、該容器の表面積に対する該開口が占める割合は、該多孔質粒状成形体を該容器内に収容した状態で外気下にて乾燥することが可能なように設定されていることを特徴とする、多孔質粒状成形体用容器。
【請求項５】
請求項１〜４いずれかの項記載の多孔質粒状成形体用容器において、湿度インジケータを該容器の該表面の一部に設置していることを特徴とする、多孔質粒状成形体用容器。
【考案の詳細な説明】
【技術分野】
【０００１】
本考案は、多孔質粒状成形体用容器に関し、特に調湿材としての多孔質粒状成形体の優れた調湿性能を有効に発揮させることができ、該調湿材を収容したまま繰り返し使用することができる、多孔質粒状成形体用容器に関する。
【背景技術】
【０００２】
最近、生活環境の快適性、具体的には快適な居住空間を実現するために住居の気密性が高くなってきている。
押し入れ、クローゼットあるいは倉庫は、もともと通気性に難があり、強制的に外気を導入するような装置が設置されていることも稀であり、そのため、高温・高湿度になりがちな環境を有している。
【０００３】
特に、長期間その高温・高湿度状態が続く、日本特有の梅雨時期には、かかる居住空間の気密性を高めた結果、ダニやカビが発生し、また冬期に屋外と屋内で温度差が生じると、結露により、やはりカビ、ダニが発生し、室内の汚れだけでなく、人体に対してもアレルギーを引き起こす等の問題が生じている。
【０００４】
このため、従来は吸湿材が収容されている容器等を布団、衣類、家具、雑貨等の置かれた隙間に設置したり、又は吊るして置かれている。
【０００５】
一方、従来の吸湿材は一度吸水すると、高温で乾燥し元の吸湿性能を取り戻すタイプも存在してはいるが、その場合であっても、容器から吸湿材を取り出して回復作業を行う必要があり、更にその回復性能は十分ではなく、規定水量を吸水すると廃棄処分している。
【０００６】
従来の吸湿材が収容された容器の形状は、棒状あるいはシート状もあるが、現在、一般的に普及しているのは、持ち運びが容易で、取り替えタイプの小型の箱型（10cm角程度）が主流である。またかかる容器等に収容されている吸湿材が規定水量を吸水すると、容器ごと廃棄処分にしているのが現状である。
【０００７】
また、梅雨の時期になると、その取替え時期が頻繁になるという不便さが加わるとともに、取り替えないでおくと、特に押し入れおよび倉庫は、吸湿材を置かない状態と同様で、高湿度の状態に戻るため、使用者に負担をかけているのも現状である。
【０００８】
更に、従来の吸湿材収容容器は、小型の箱型形状容器のため、地震の振動や家具の設置場所によっては転倒する可能性があり、箱下部に吸水し、貯水した水が、容器の転倒によって、容器外に排出したり、あるいは容器内でも吸湿材を損傷してしまう場合があった。
【０００９】
実用新案出願公告昭６１−１９７８２号には、被調湿部材が収納される開口を有する容器、この容器の開口を閉塞する対向部を有し、この対向部から中央に向かって膨らみ中央部に設けられた蓋、上記蓋の開口部に一部嵌設された中空の固定軸、この固定軸と上記蓋の内壁との間を連結し、複数の穴を有する固定板、この固定板と上記蓋との間に充填された吸湿剤、上記固定軸の中空部に回動可能に挿入された可動軸、この可動軸に上記固定板と対向して連結され、複数の穴を有する可動板を備え、上記固定板の複数の穴と上記可動板の複数の穴とが上記可動軸の回動により互いに直通又は封止されることを特徴とする調湿装置が開示されている。
【００１０】
しかし、上記調湿装置は、収容されている調湿材が大気と接触することを遮断して調湿時以外の吸湿材の劣化を防止し、調湿材の寿命を延ばすこととしており、結局調湿材が一定の吸水量に達すると、該装置から調湿材を取り出して取り替える必要があった。
また、上記装置は固定位置に設置されるものであるので、装置ごと調湿作用を回復させて繰り返し使用できるものではない。
【先行技術文献】
【特許文献】
【００１１】
【特許文献１】実公昭６１−１９７８２号公報
【考案の概要】
【考案が解決しようとする課題】
【００１２】
本考案の目的は、上述した問題点を解消し、高湿度な空間における、高性能の調湿材料である多孔質粒状成形体の調湿性能を有効に発揮させることができ、簡便に繰り返して該調湿作用を回復させることができる、多孔質粒状成形体用容器を提供することである。
特に前記多孔質粒状成形体は、汚泥焼却灰の再資源化を図り、汚泥焼却灰より得られた多孔質粒状成形体であって、何度も繰り返して使用することができる、優れた調湿性能を維持することができる該多孔質粒状成形体の性能を有効に発揮させることができる多孔質粒状成形体用容器を提供することである。
【課題を解決するための手段】
【００１３】
上記課題を解決するため、本考案の多孔質粒状成形体用容器は、箱状の容器であって、少なくとも１面に複数の開口が設けられ、該容器の内部に多孔質粒状成形体を収容することを特徴とする、多孔質粒状成形体用容器である。
好適には、上記本考案の多孔質粒状成形体用容器において、該多孔質粒状成形体を個別に収容するための隔壁を該容器内に設けていることを特徴とする、多孔質粒状成形体用容器である。
【００１４】
さらに好適には、上記本考案の多孔質粒状成形体用容器において、該多孔質粒状成形体を保持する保持部に水受けを形成することを特徴とする、多孔質粒状成形体用容器である。
またさらに好適には、上記本考案の多孔質粒状成形体用容器において、該容器の表面積に対する該開口が占める割合は、該多孔質粒状成形体を該容器内に収容した状態で外気下にて乾燥することが可能なように設定されていることを特徴とする、多孔質粒状成形体用容器である。
より好適には、本考案の多孔質粒状成形体用容器において、湿度インジケータを該容器の該表面の一部に設置していることを特徴とする、多孔質粒状成形体用容器である。
【考案の効果】
【００１５】
本考案の多孔質粒状成形体容器は、調湿作用を欲する空間に簡便に設置することができるとともに、高性能の調湿材料である多孔質粒状成形体の性能を損なうことなく、連続的にかつ効率的に発揮させ、押し入れ、クローゼットあるいは倉庫等、もともと通気性に難のある高湿度な室内空間を、快適空間に整え、黴やダニの発生による健康被害を有効に抑制することができる。
また、容器内から調湿材を取り出すことなく、容器ごと簡便に繰り返して該調湿作用を回復させることが可能となり、取り扱いが極めて簡便にできる。
【図面の簡単な説明】
【００１６】
【図１】本考案の多孔質粒状成形体用容器の一例を示す斜視図である。
【図２】本考案の多孔質粒状成形体容器の内部の一例を示す正面断面図である。
【図３】本考案の多孔質粒状成形体容器の内部の一例を示す側面断面図である。
【図４】本考案の多孔質粒状成形体容器を高湿度な空間に設置する敷設例の一例である。
【考案を実施するための形態】
【００１７】
本考案の多孔質粒状成形体用容器について、以下に詳細に説明する。
図１は、本考案の多孔質粒状成形体用容器の一例を示す斜視図、図２は、該多孔質粒状成形体容器の内部の一例を示す正面断面図、図３は、該多孔質粒状成形体容器の内部の一例を示す側面断面図である。
【００１８】
本考案の多孔質粒状成形体容器１は、箱状の容器であって、少なくとも１面に複数の開口２が設けられている。
該開口２は、複数の孔形状、スリット形状、網目形状、パンチングメタル形状であってもよく、多孔質粒状成形体の内部に収容されている調湿材である多孔質粒状成形体の調湿作用が発揮できれば特にその形状はこだわらない。
例えば、正面部の開口２の仕様は、直径１〜５０ｍｍの円形あるいは楕円形（長丸）、または長角形状で、孔の配列は千鳥配列あるいは並列配列で設けられていてもよい。
【００１９】
また、該容器の表面積に対する該開口が占める割合は、該多孔質粒状成形体を該容器内に収容した状態で外気下にて乾燥することが可能なように設定されている。
例えば、開孔率としては、開口と非開口部の比率が、特に１：１〜１：５であることが望ましい。
これにより、本考案の容器ごと取出し、外気中で（天日）乾燥させ、設置当初と同等の調湿性能（主に吸湿）を回復することが可能となる。
【００２０】
また、該容器１の材質は、金属系（ＳＵＳ３０４等）あるいはプラスチック系（強化プラスチック、繊維補強プラスチックを含む）、木質系（ベニヤ等）や紙系（ダンボール等）等、任意の素材を用いることができる。
【００２１】
本考案の内部に収容される多孔質粒状成形体３は、調湿作用を有するものであれば特に限定されず、任意の調湿材を適用することができるが、特に次の高性能調湿材である多孔質粒状成形体を適用することが望ましい。
好適な多孔質粒状成形体調湿材としては、汚泥焼却灰の酸処理により得られる多孔質粒状成形体であり、さらに好ましくは当該成形体の表面にブチラール樹脂の被膜を設けたものである。
【００２２】
該多孔質粒状成形体の原料汚泥焼却灰は、下水処理場で発生する汚泥を焼却した汚泥焼却灰の他に、し尿、家庭用雑排水、産業用排水処理等によって発生した汚泥の焼却灰等があり、また焼却灰には、高分子凝集剤を使用した汚泥を焼却したものと、石灰系凝集剤を使用した汚泥を焼却したものがあるが、両者とも適用できる。
汚泥焼却灰の形態は、酸添加により十分な溶解反応が行われ、最終的に均質な多孔質粒状体が得られれば特に制限はされず、粉末等の成形されていないものに限らず、ペレット状、板状、錠剤状等に成形されたものでも酸添加による接触処理が可能である。
該汚泥焼却灰に、硝酸、塩酸や硫酸等の鉱酸等の酸水溶液を添加するか、または酸性ガスと接触させて、多孔質粒状体とする。
また、必要に応じて多孔質粒状成形体の表面に、ブチラール樹脂の被膜を設けてもよい。
【００２３】
このような、本考案の内部に収容される好適な多孔質粒状成形体３は、吸水し続けることで、水が溜まることのない、優れた調湿性能（吸湿性能・放湿性能）を有し、振動等によっても該調湿材から微粉塵の発生を抑制することができ、環境的にも良好な調湿材であり、外気にさらすこと等の簡便な方法により、容易に吸湿性能を回復することができるため、繰り返して何度も調湿材として使用することができる。
【００２４】
また、本考案の多孔質粒状成形体用容器は、調湿材料である多孔質粒状成形体を予め収容した大型の箱型形状の容器を基本とするものであり、その容器は薄型形状をしているため、省スペース化が可能で、押し入れ等の壁面に沿って設置することにより、布団や家具等比較的嵩高い材料を効率的に入れることに適した形状となっている。
また、押入れ等への敷設には、該容器の裏面に留め具７を設けることで容易に敷設することが可能である。
【００２５】
また、本考案の多孔質粒状成形体用容器１において、該多孔質粒状成形体３を個別に収容するための隔壁４が該容器内に設けられている。
隔壁４を設けることにより、多孔質粒状成形体３を収容する収容部が複数設けられることが可能となる。
特に水平方向の該隔壁４は多孔質粒状成形体３を保持するための保持部も形成しており、該保持部に多孔質粒状成形体３を設置する。
また、該水平方向の隔壁４は、水受け５も形成しており、これにより高湿度の空間に本考案の容器を設置しても、水が漏れることはない。
【００２６】
更に、本考案の多孔質粒状成形体用容器の該表面の一部に、湿度インジケータ６を接着等により設置することで、本考案に収容されている多孔質粒状成形体調湿材の吸湿状況を容易に把握することができる。これにより、水分を十分も吸湿した多孔質粒状成形体を収容する本考案の容器を、容器ごと外気にさらして、乾燥させることにより、初期性能を回復させることを容易にすることができる。
該湿度インジケータカードは、不可逆タイプ（例：サンアイ（株）ＭＸ５６７８９）が好ましいが、可逆タイプも適用することが可能である。
【００２７】
本考案の多孔質粒状成形体用容器は、押し入れや倉庫等の高湿度の狭い空間に、高性能の調湿材料である多孔質粒状成形体を効果的に敷設できる容器である。
図１〜３に示す形状を有する、本考案の多孔質粒状成形体用容器を図４に示すように、一般的な家屋（一戸建て）で、湿度の高い北面に面する部屋の押し入れに敷設した。
該容器の裏面に留め具７を設けることで、押入れに容易に敷設した。
また、本考案の多孔質粒状成形体用容器を敷設しない、隣り合う押し入れとの比較検証を実施した。
温・湿度の測定には、（株）ディ・アンド・ディ社温湿度計「おんどとりＷｉｒｅｌｅｓｓ  ＲＴＲ−７２」を使用した。また、測定期間は、梅雨時期（６月）の１ケ月間とした。
【００２８】
【表１】
0003151139.tif 000003
【００２９】
上記表１より、本考案の容器を設置することにより、押し入れ内の相対湿度は、未設置の場合と比較して、保管庫として適切な空間となったことがわかる。
【００３０】
また、上記本考案の多孔質粒状成形体用容器は、押し入れや倉庫等の高湿度の狭い空間に敷設して、十分に吸湿した多孔質粒状成形体を収容する容器自体を、乾季に外気下で、特に天日によって乾燥させることによって、初期の調湿性能、主に吸湿性能を回復させることができた。
【００３１】
具体的には、上記本考案の多孔質粒状成形体用容器に収容されている多孔質粒状成形体調湿材料の総重量（調湿材料を含む容器全重量−調湿材料を除く容器重量）を測定し、その結果を表2に示す。
なお、乾燥時間は、該容器自体を外気、すなわち天日に２日間（２日間の平均気温は２４．９℃）、午前９時から午後３時までの６時間とした。
本考案の容器に収容されている多孔質粒状成形体調湿材料の初期総重量を１００とすると、該調湿材料の飽和吸湿時の総重量は１４０となった。
【００３２】
【表２】
0003151139.tif 000004
【００３３】
上記表２より、本考案の多孔質粒状成形体用容器は、容器ごと、乾季に外気下で、天日によって乾燥させることによって、初期の調湿性能、主に吸湿性能十分に回復することができ、これにより繰り返し使用することが可能となった。
【産業上の利用可能性】
【００３４】
本考案の多孔質粒状成形体調湿材収容容器は、主に、押し入れ、クローゼットあるいは倉庫、更には床下または天井内にも適用することが可能である。
【符号の説明】
【００３５】
１    多孔質粒状成形体用容器
２    開口
３    多孔質粒状成形体
４    隔壁
５    水受け
６    湿度インジケータ
７    留め具
【図１】
0003151139.tif 000005
【図２】
0003151139.tif 000006
【図３】
0003151139.tif 000007
【図４】
0003151139.tif 000008